(57)【要約】【課題】小型化を実現し、使い勝手が良好なイヤホン及びヘッドホンを提供する。【解決手段】イヤホン２０Ｌは、音声を再生するスピーカユニット４０，４１と、ハウジング３０とを有する。また、ハウジング３０は、スピーカユニット４０，４１が収納される空間３５，３６と、空間３５，３６から外部へと通じる開口３５ａ，３６ａとが形成されている。これにより、スピーカユニット４０，４１が出力する異なる音源が、相互に干渉せずにユーザの耳に伝達される。したがって、立体的な音声を再現しつつ、イヤホン２０Ｌの小型化を実現することができる。また、小型化により、イヤホン２０Ｌの携帯性が向上し、イヤホン２０Ｌを備えるヘッドホンの携帯性も向上する。また、携帯性の向上に伴い、イヤホン２０Ｌ、ヘッドホンの使い勝手も良好となる。【選択図】図７
2013026746.tif 000002
【特許請求の範囲】
【請求項１】
音声を再生する第１スピーカユニット及び第２スピーカユニットと、
前記第１スピーカユニットを収納する第１空間と、前記第１空間から外部へと通じる第１開口と、前記第２スピーカユニットを収納する第２空間と、前記第２空間から外部へと通じる第２開口と、が形成されたハウジングと、
を備えることを特徴とするイヤホン。
【請求項２】
前記ハウジングは、前記ハウジングの内部に配置された隔壁部材を有し、
前記隔壁部材によって、前記ハウジングの内部空間が、前記第１空間と前記第２空間とに区画されていることを特徴とする請求項１に記載のイヤホン。
【請求項３】
前記ハウジングには、前記ハウジングの前記内部空間と外部とを連通させる孔が形成され、
前記隔壁部材によって、前記ハウジングの前記孔が、前記第１開口と前記第２開口とに区画されていることを特徴とする請求項２に記載のイヤホン。
【請求項４】
前記ハウジングは、
ハウジング本体と、
前記ハウジング本体から突出して形成され、前記第１空間に通じることによって、前記第１スピーカユニットの音声を外部へ伝える第１音声通路と、前記第２空間に通じることによって、前記第２スピーカユニットの音声を外部へ伝える第２音声通路と、が形成された音導管と、
を有することを特徴とする請求項１乃至３のいずれか一項に記載のイヤホン。
【請求項５】
前記音導管には、隔壁部材が配置され、
前記音導管に配置された前記隔壁部材によって、前記音導管に形成された孔が、第１音声通路と第２音声通路とに区画されていることを特徴とする請求項４に記載のイヤホン。
【請求項６】
前記イヤホンは、柔軟性のある素材からなり、前記音導管に取り付けられるイヤーピースを有しており、
前記イヤーピースは、前記第１音声通路と通過した音声を外部へ伝える第３音声通路と、前記第２音声通路と通過した音声を外部へ伝える第４音声通路と、が形成されていることを特徴とする請求項４又は５に記載のイヤホン。
【請求項７】
前記第１スピーカユニット及び前記第２スピーカユニットは、音源からイヤホンを使用するユーザの耳に至るまでの音の伝達特性から求められる頭部伝達関数（ＨＲＴＦ）に基づいた信号が入力されるとともに、前記信号に基づいて音声を再生することを特徴とする請求項１乃至６のいずれか一項に記載のイヤホン。
【請求項８】
音声を再生する第３スピーカユニットをさらに備え、
前記ハウジングには、前記第３スピーカユニットを収納する第３空間と、前記第３空間から外部へと通じる第３開口と、がさらに形成されていることを特徴とする請求項１乃至７のいずれか一項に記載のイヤホン。
【請求項９】
音声を再生する第４スピーカユニットをさらに備え、
前記ハウジングには、前記第４スピーカユニットを収納する第４空間と、前記第４空間から外部へと通じる第４開口と、がさらに形成されていることを特徴とする請求項８に記載のイヤホン。
【請求項１０】
請求項１乃至９のいずれか一項に記載のイヤホンを備えたことを特徴とするヘッドホン。
【発明の詳細な説明】
【技術分野】
【０００１】
本発明は、イヤホン及びヘッドホンに関する。
【背景技術】
【０００２】
現実の音場に近似した音場を再現する再生機器として、立体音響を再生することができるヘッドホンが提案されている（例えば、特許文献１〜４参照）。特許文献１〜４に記載のヘッドホンは、一対のイヤホン（右耳側イヤホン、左耳側イヤホン）を備え、さらにイヤホン毎に、複数のスピーカユニット（ドライバユニット）が配置されている。ヘッドホンがユーザに装着された場合、スピーカユニットは、例えば、ヘッドホンのユーザの前側、後ろ側に配置されるとともに、スピーカユニットそれぞれが出力する音声の音量、音波の位相の変化等を適宜調整することにより、ヘッドホンは、立体的な音声を再現する。
【先行技術文献】
【特許文献】
【０００３】
【特許文献１】特開２００８−１４１６９１号公報
【特許文献２】特開２００２−１０１４８９号公報
【特許文献３】特許第３６９３６１２号公報
【特許文献４】特許第４２２１７４６号公報
【発明の概要】
【発明が解決しようとする課題】
【０００４】
しかしながら、上記特許文献１〜４に記載のヘッドホンのイヤホンは、スピーカユニット毎に収納するハウジングを複数有している。これら複数のハウジングにより、イヤホンが大型化してしまい、使い勝手も悪くなるおそれがあった。
【０００５】
本発明は、上述の事情の下になされたもので、小型化を実現し、使い勝手が良好なイヤホン及びヘッドホンを提供することを目的とする。
【課題を解決するための手段】
【０００６】
上記目的を達成するため、本発明の第１の観点に係るイヤホンは、
音声を再生する第１スピーカユニット及び第２スピーカユニットと、
前記第１スピーカユニットを収納する第１空間と、前記第１空間から外部へと通じる第１開口と、前記第２スピーカユニットを収納する第２空間と、前記第２空間から外部へと通じる第２開口と、が形成されたハウジングと、
を備えることを特徴とする。
【０００７】
本発明の第２の観点に係るヘッドホンは、
前記イヤホンを備えたことを特徴とする。
【発明の効果】
【０００８】
本発明によれば、スピーカユニットを収納する空間と、スピーカユニットからの音声を外部に伝える開口とが、これらスピーカユニット毎に、ハウジングに形成されている。これにより、スピーカユニットが出力する異なる音源を、相互に干渉させずに、開口から外部に伝えることが可能になる。したがって、立体的な音声を再現しつつ、イヤホンの小型化を実現することができる。また、小型化により、イヤホンの使い勝手も良好となる。
【図面の簡単な説明】
【０００９】
【図１】本発明の第１実施形態に係るヘッドホンの斜視図である。
【図２】イヤホンの正面図である。
【図３】イヤホンのＸＺ断面図である。
【図４】イヤホンの側面図である。
【図５】ヘッドホンの使用例を示す斜視図である。
【図６】ヘッドホンの使用例を示す平面図である。
【図７】ヘッドホンの使用例を示すＸＺ断面図である。
【図８】本発明の第２実施形態に係るイヤホンの側面図である。
【図９】本発明の第３実施形態に係るイヤホンの側面図である。
【図１０】本発明の第４実施形態に係るイヤホンの側面図である。
【発明を実施するための形態】
【００１０】
（第１実施形態）
以下、第１実施形態に係るヘッドホン１０について、図１〜図７を参照しながら説明する。なお、図中のＸＺ平面は水平な面であり、図中のＹ軸の方向は鉛直方向であり、さらに、このヘッドホン１０をユーザが装着した場合には、図中のＸ軸の方向は、ユーザの前方（正面方向）となり、図中のＺ軸の方向は、ユーザの右側の方向となる。
【００１１】
本発明に係るヘッドホン１０は、図１に示すように、例えば、携帯音楽プレーヤーなどの携帯機器１００に用いられる。ヘッドホン１０は、一対のイヤホン２０Ｌ、２０Ｒを有している。イヤホン２０Ｌ、２０Ｒは、例えば、カナル型のイヤホンであり、ユーザがヘッドホン１０を使用する場合、イヤホン２０Ｌは、携帯端末を使用するユーザの左耳の耳孔に挿入され、イヤホン２０Ｒは、ユーザの右耳の耳孔に挿入される。
【００１２】
イヤホン２０Ｌは、図１及び図２に示すように、ハウジング３０と、ハウジング３０の＋Ｚ側に取り付けられたイヤーピース５０と、ハウジング３０の下方（−Ｙ側）に配置されたブッシュ５５と、ケーブル６０とを有する。また、イヤホン２０Ｌは、上記各部材に加えて、図３に示すように、音声を出力する一対のスピーカユニット４０，４１を有する。
【００１３】
ハウジング３０は、内部にスピーカユニット４０，４１等を収納する。ハウジング３０は、略円筒形状に形成され、例えば、樹脂からなる。また、ハウジング３０は、ハウジング本体３１と、蓋体３２と、隔壁部材３３と、音導管３４とを有する。これらハウジング本体３１、蓋体３２、隔壁部材３３、音導管３４は、例えば、射出成形により形成される。
【００１４】
ハウジング本体３１は、＋Ｚ側に底面が形成された略有底円筒形状に形成されている。ハウジング本体３１の−Ｚ側の面には、スピーカユニット４０，４１が固定されている。また、ハウジング本体３１の＋Ｚ側に底面には、Ｚ軸方向に貫通する孔３１ａが形成されている。
【００１５】
蓋体３２は、−Ｚ側に底面が形成された略有底円筒形状に形成されている。この蓋体３２は、ハウジング本体３１の−Ｚ側の面に取り付けられている。これにより、スピーカユニット４０，４１は、蓋体３２に覆われる。
【００１６】
隔壁部材３３は、平板形状に形成され、ハウジング本体３１及び蓋体３２内に、ＹＺ平面に平行に配置されている。この隔壁部材３３が、ハウジング本体３１及び蓋体３２内に配置されることにより、ハウジング３０の内部空間は、２つの空間３５，３６に区画される。具体的には、空間３５は、ハウジング本体３１の内周面、隔壁部材３３の−Ｘ側の面、スピーカユニット４０の＋Ｚ側の面等によって規定され、スピーカユニット４０から出力される音声を取り囲むエンクロージャとして構成される。同様に、空間３６は、ハウジング本体３１の内周面、隔壁部材３３の＋Ｘ側の面、スピーカユニット４１の＋Ｚ側の面によって規定され、スピーカユニット４１から出力される音声を取り囲むエンクロージャとして構成される。また、隔壁部材３３が配置されることにより、ハウジング３０の孔３１ａも、２つの開口３５ａ，３６ａに区画される。開口３５ａ，３６ａを介して、空間３５，３６は外部と通じている。
【００１７】
音導管３４は、Ｚ軸方向に貫通する孔３４ａが形成された略円筒形状の部材である。この孔３４ａは、その直径が、ハウジング本体３１の孔３１ａの直径と同等に形成されている。音導管３４は、ハウジング本体３１の孔３１ａを覆うように、ハウジング本体３１の＋Ｚ側の面に取り付けられている。また、音導管３４の孔３４ａ内に隔壁部材３３が配置されている。これにより、音導管３４には、２つの音声通路３４ｂ，３４ｃが形成される。音声通路３４ｂ，３４ｃは、ＸＹ断面が半円形状になるように形成されている。音声通路３４ｂは、ハウジング本体３１内に形成された空間３５に通じており、スピーカユニット４０から出力される音声の通路となる。また、音導通路３４ｃは、ハウジング本体３１内に形成された空間３６に通じており、スピーカユニット４１から出力される音声の通路となる。また、音導管３４の＋Ｚ側の端部には、爪部３４ｄが形成されている。
【００１８】
スピーカユニット４０は、例えば、バッフル板などに固定されたヨーク、マグネット、ポールピース等から構成される磁気回路構成部材と、ボイスコイルと、ダイヤブラム状の振動板と、を有している。また、振動板の放音面４０ａが、ＸＹ平面に平行になるように、スピーカユニット４０は、ハウジング３０内に配置されている。ボイスコイルに音声信号が入力されると、ボイスコイルに振動が生ずる。そうすると、ボイスコイルに固定された振動板にも、振動が生ずる。この振動によって、スピーカユニット４０は、音声信号に対応した音声を再生する。
【００１９】
スピーカユニット４１は、スピーカユニット４０と同様に、磁気回路構成部材と、ボイスコイルと、ダイヤブラム状の振動板とを有しており、振動板の放音面４１ａが、ＸＹ平面に平行になるように、ハウジング３０内に配置されている。そして、ボイスコイルに入力された音声信号に対応した音声を再生する。
【００２０】
イヤーピース５０は、容易に変形することができる柔軟性のある素材からなる。イヤーピース５０の素材としては、例えば、合成樹脂である。イヤーピース５０には、ハウジング３０の音導管３４を嵌め込むための孔５１が形成されている。また、イヤーピース５０には、音導管３４から出力された音声を通すための音導通路５２，５３が形成されている。これら音導通路５２，５３は、それぞれのＸＹ断面が半円形状となるように形成されている。音導通路５２，５３のＸＹ断面は、音導管３４の音声通路３４ｂ，３４ｃのＸＹ断面と同等の形状、面積となっている。
【００２１】
このイヤーピース５０の孔５１には、ハウジング３０の音導管３４の＋Ｚ側の端部が、＋Ｚ側から嵌め込まれる。このとき、音導管３４の爪部３４ｄが、孔５１の内周面に喰い込み、これにより、イヤーピース５０は、ハウジング３０に対して抜け止めされる。また、音導管３４の外周面には、キーが形成されており、イヤーピース５０の孔５１の内周面には、キー溝が形成されている。これらキーとキー溝との係合によって、イヤーピース５０は、ハウジング３０に対して回り止めされる。また、このイヤーピース５０の孔５１にハウジング３０の音導管３４が嵌め込まれると、イヤーピース５０の音導通路５２は、音導管３４の音声通路３４ｂを介して、ハウジング３０の空間３５に通じる。一方、イヤーピース５０の音導通路５３は、音導管３４の音声通路３４ｃを介して、ハウジング３０の空間３６に通じる。
【００２２】
ブッシュ５５は、図４に示すように、ハウジング３０の下方（−Ｙ側）に突出するように配置された略円筒形状の部材である。このブッシュ５５には、スピーカユニット４０，４１に音声信号を入力するためのワイヤ６１，６２が通されている。ワイヤ６１，６２は、絶縁性素材に被覆されて、一本のケーブル６０として外部に引き出されている。ケーブル６０の他端は、図１に示すように、携帯機器１００に接続される。
【００２３】
イヤホン２０Ｒは、イヤホン２０Ｌと同様に、図１を参照するとわかるように、ハウジング３０と、イヤーピース５０と、ブッシュ５５と、スピーカユニットを有する。
【００２４】
上述のように構成された本発明の第１実施形態に係るヘッドホン１０の動作について、図５〜図７を用いて説明する。
【００２５】
ヘッドホン１０を用いる場合は、例えば、図５及び図６に示すように、ユーザの左耳の耳孔にイヤホン２０Ｌのイヤーピース５０を挿入するとともに、右耳の耳孔にイヤホン２０Ｒのイヤーピース５０を挿入する。このとき、イヤホン２０Ｌ，２０Ｒのブッシュ５５がハウジング３０の下方に位置するように、イヤホン２０Ｌ，２０Ｒのイヤーピース５０を耳孔に挿入する。これにより、ヘッドホン１０は、ユーザに装着される。
【００２６】
ブッシュ５５がハウジング３０の下方に位置された状態で、イヤホン２０Ｌがユーザに装着されると、図７に示すように、空間３５が、ユーザの後ろ側に配置されるとともに、空間３６が、ユーザの前側に配置される。
【００２７】
次に、ユーザが携帯機器１００を操作することにより、携帯機器１００の制御ユニット１０１から音声信号が出力される。制御ユニット１０１は、例えば、ＣＰＵ（Central Processing Unit）、主記憶部、補助記憶部、表示部、入力部、及び上記各部を相互に接続するバス等から構成されている。この制御ユニット１０１から出力された音声信号は、立体音響を再現させるために用いられる頭部伝達関数（ＨＲＴＦ）などに基づいた信号である。携帯機器１００から出力された音声信号は、ケーブル６０を介して、イヤホン２０Ｌのスピーカユニット４０，４１のボイスコイルに入力される。音声信号がボイスコイルに入力されると、ボイスコイルに振動が生ずる。そうすると、ボイスコイルに固定された振動板にも、振動が生ずる。この振動によって、スピーカユニット４０，４１は、音声信号に対応した音声を再生する。
【００２８】
スピーカユニット４０によって再生された音声は、ハウジング３０の空間３５、開口３５ａ、音導管３４の音声通路３４ｂ、イヤーピース５０の音声通路５２を通って、ユーザの左耳に伝わる。一方、スピーカユニット４１によって再生された音声は、ハウジング３０の空間３６、開口３６ａ、音導管３４の音声通路３４ｃ、イヤーピース５０の音声通路５３を通って、ユーザの左耳に伝わる。
【００２９】
同様に、携帯機器１００から出力された音声信号は、ケーブル６０を介して、イヤホン２０Ｒの２つのスピーカユニットのボイスコイルに入力される。音声信号がボイスコイルに入力されると、ボイスコイルに振動が生ずる。そうすると、ボイスコイルに固定された振動板にも、振動が生ずる。この振動によって、２つのスピーカユニットは、音声信号に対応した音声を再生する。そして、それぞれの音声が、ユーザの右耳に伝わる。
【００３０】
このとき、ユーザの左耳に伝わる２つの音声及び右耳に伝わる２つの音声のそれぞれの音量、音波が左耳に伝わる時間差、音波の周波数特性、位相差等を異ならせることにより、立体的な音響を再生する。
【００３１】
以上、説明したように、第１実施形態に係るイヤホン２０Ｌ，２０Ｒによれば、空間３５，３６と、開口３５ａ，３６ａとが、スピーカユニット４０，４１毎に一つのハウジング３０に形成されている。さらに、音声通路３４ｂ，３４ｃが、スピーカユニット４０，４１毎に、一つの音導管３４に形成されており、音声通路５２，５３が、スピーカユニット４０，４１毎に一つのイヤーピース５０に形成されている。これにより、スピーカユニット４０，４１が出力する異なる音源が、相互に干渉せずにユーザの耳に伝達される。したがって、立体的な音声を再現しつつ、イヤホン２０Ｌ，２０Ｒの小型化を実現することができる。また、小型化により、イヤホン２０Ｌ，２０Ｒの携帯性が向上し、イヤホン２０Ｌ，２０Ｒを備えるヘッドホン１０の携帯性も向上する。また、携帯性の向上に伴い、イヤホン２０Ｌ，２０Ｒ、ヘッドホン１０の使い勝手も良好となる。
【００３２】
（第２実施形態）
次に、本発明の第２実施形態に係るイヤホン１２０Ｌについて、図８を参照しながら説明する。
【００３３】
イヤホン１２０Ｌは、図８に示すように、第１実施形態に係るイヤホン２０Ｌと同様に、ハウジング３０と、イヤーピース５０と、ブッシュ５５と、ケーブル６０と、一対のスピーカユニット４０，４１を有する。さらに、ハウジング３０は、ハウジング本体３１と、蓋体３２と、隔壁部材３３と、音導管３４とを有する。
【００３４】
隔壁部材３３は、第１実施形態に係るイヤホン２０Ｌの隔壁部材３３が、ハウジング本体３１及び蓋体３２内に、ＹＺ平面に平行に配置されているのに対し、ＸＺ平面に平行に配置されている。これにより、２つの空間７０，７１が、Ｙ軸方向に沿って形成される。また、隔壁部材３３が配置されることにより、ハウジング３０の孔３１ａも、２つの開口７０ａ，７１ａに区画される。
【００３５】
ブッシュ５５がハウジング３０の下方に位置された状態で、イヤホン２０Ｌがユーザの左耳に装着されると、図７に示すように、空間７０が、ユーザの上側（頭部側、＋Ｙ側）に配置されるとともに、空間３６が、ユーザの下側（顎部側、−Ｙ側）に配置される。
【００３６】
このような第２実施形態に係るイヤホン１２０Ｌにおいても、第１実施形態に係るイヤホン２０Ｌと同様の効果を奏する。具体的には、空間３５，３６と、開口３５ａ，３６ａとが、スピーカユニット４０，４１毎に一つのハウジング３０に形成されている。さらに、音声通路３４ｂ，３４ｃが、スピーカユニット４０，４１毎に、一つの音導管３４に形成されており、音声通路５２，５３が、スピーカユニット４０，４１毎に一つのイヤーピース５０に形成されている。これにより、スピーカユニット４０，４１が出力する異なる音源が、相互に干渉せずにユーザの耳に伝達され、立体的な音声を再現しつつ、イヤホン２０Ｌ，２０Ｒの小型化を実現することができる。また、小型化により、イヤホン１２０Ｌの携帯性が向上し、イヤホン１２０Ｌを備えるヘッドホンの携帯性も向上する。また、携帯性の向上に伴い、イヤホン１２０Ｌ等の使い勝手も良好となる。
【００３７】
（第３実施形態）
次に、本発明の第３実施形態に係るイヤホン２２０Ｌについて、図９を参照しながら説明する。
【００３８】
イヤホン２２０Ｌは、図９に示すように、イヤホン２０Ｌ及びイヤホン１２０Ｌと同様に、ハウジング３０と、イヤーピース５０と、ブッシュ５５と、ケーブル６０と、４つのスピーカユニット８０，８１，８２，８３を有する。さらに、ハウジング３０は、ハウジング本体３１と、蓋体３２と、隔壁部材３３と、音導管３４とを有する。
【００３９】
隔壁部材３３は、第１実施形態に係るイヤホン２０Ｌの隔壁部材３３が平板形状に形成されているのに対し、ＸＹ断面が十字形状（Ｃｒｏｓｓ形状）に形成されている。これにより、ハウジング３０内には、４つの空間９０，９１，９２，９３が形成される。また、この隔壁部材３３が配置されることにより、ハウジング３０には、空間９０，９１，９２，９３に対応した４つの開口が形成される。また、スピーカユニット８０，８１，８２，８３は、空間９０，９１，９２，９３にそれぞれ配置される。
【００４０】
ブッシュ５５がハウジング３０の下方に位置された状態で、イヤホン２０Ｌがユーザの左耳に装着されると、空間９０がユーザの背面側（−Ｘ側）に配置され、空間９１がユーザの上側（頭部側、＋Ｙ側）に配置され、空間９２がユーザの正面側（＋Ｘ側）に配置され、空間９３がユーザの下側（顎部側、−Ｙ側）に配置される。
【００４１】
スピーカユニット８０，８１，８２，８３によって再生された音声は、ハウジング３０の空間９０，９１，９２，９３や、空間９０，９１，９２，９３に対応した４つの開口等を通って、ユーザの耳に伝わる。このとき、ユーザの耳に伝わる４つの音声のそれぞれの音量、音波が左耳に伝わる時間差、音波の周波数特性、位相差等を異ならせることにより、立体的な音響を再生する。
【００４２】
また、隔壁部材３３のハウジング３０内への配置の向きは、任意である。例えば、図１０に示すように、隔壁部材３３を、ＸＺ平面に平行に、且つ、ＹＺ平面に平行に配置してもよい。
【００４３】
以上、説明したように、第３実施形態に係るイヤホン２２０Ｌによれば、一つのハウジング３０内に、４つのスピーカユニット９０，９１，９２，９３が、空間９０，９１，９２，９３毎に配置されている。これにより、現実の音場により近似した音場を再現できる。
【００４４】
以上、本発明の実施形態について説明したが、本発明は上記実施形態等によって限定されるものではない。
【００４５】
例えば、本実施形態においては、イヤホン２０Ｌ，２０Ｒは、カナル型イヤホンであるが、これに限らず、インナーイヤー型イヤホンでもよいし、耳掛け型イヤホンでもよい。
【００４６】
また、本実施形態においては、第１実施形態のイヤホン２０Ｌ，２０Ｒ、第２実施形態のイヤホン１２０Ｌにおいては、２つのスピーカユニット（スピーカユニット４０，４１）を有しており、第３実施形態のイヤホン２２０Ｌにおいては、４つのスピーカユニット（スピーカユニット８０，８１，８２，８３）を有している。しかしながら、これに限らず、３つのスピーカユニットを有していてもよいし、５つ以上のスピーカユニットを有していてもよい。
【００４７】
また、本実施形態においては、隔壁部材３３は、ハウジング本体３１とは、別の部材として構成されている。しかしながら、これに限らず、ハウジング本体３１と一体に構成されていてもよい。
【００４８】
同様に、本実施形態においては、音導管３４は、ハウジング本体３１とは、別の部材として構成されている。しかしながら、これに限らず、ハウジング本体３１と一体に構成されていてもよい。
【００４９】
本発明は、本発明の広義の精神と範囲を逸脱することなく、様々な実施形態及び変形が可能とされるものである。上述した実施形態は、本発明を説明するためのものであり、本発明の範囲を限定するものではない。
【００５０】
上記の実施形態の一部又は全部は、以下の付記のようにも記載されうるが、以下には限られない。
【００５１】
（付記１）音声を再生する第１スピーカユニット及び第２スピーカユニットと、
前記第１スピーカユニットを収納する第１空間と、前記第１空間から外部へと通じる第１開口と、前記第２スピーカユニットを収納する第２空間と、前記第２空間から外部へと通じる第２開口と、が形成されたハウジングと、
を備えることを特徴とするイヤホン。
【００５２】
（付記２）前記ハウジングは、前記ハウジングの内部に配置された隔壁部材を有し、
前記隔壁部材によって、前記ハウジングの内部空間が、前記第１空間と前記第２空間とに区画されていることを特徴とする付記１に記載のイヤホン。
【００５３】
（付記３）前記ハウジングには、前記ハウジングの前記内部空間と外部とを連通させる孔が形成され、
前記隔壁部材によって、前記ハウジングの前記孔が、前記第１開口と前記第２開口とに区画されていることを特徴とする付記２に記載のイヤホン。
【００５４】
（付記４）前記ハウジングは、
ハウジング本体と、
前記ハウジング本体から突出して形成され、前記第１空間に通じることによって、前記第１スピーカユニットの音声を外部へ伝える第１音声通路と、前記第２空間に通じることによって、前記第２スピーカユニットの音声を外部へ伝える第２音声通路と、が形成された音導管と、
を有することを特徴とする付記１乃至３のいずれか一つに記載のイヤホン。
【００５５】
（付記５）  前記音導管には、隔壁部材が配置され、
前記音導管に配置された前記隔壁部材によって、前記音導管に形成された孔が、第１音声通路と第２音声通路とに区画されていることを特徴とする付記４に記載のイヤホン。
【００５６】
（付記６）前記イヤホンは、柔軟性のある素材からなり、前記音導管に取り付けられるイヤーピースを有しており、
前記イヤーピースは、前記第１音声通路と通過した音声を外部へ伝える第３音声通路と、前記第２音声通路と通過した音声を外部へ伝える第４音声通路と、が形成されていることを特徴とする付記４又は５に記載のイヤホン。
【００５７】
（付記７）前記第１スピーカユニット及び前記第２スピーカユニットは、音源からイヤホンを使用するユーザの耳に至るまでの音の伝達特性から求められる頭部伝達関数（ＨＲＴＦ）に基づいた信号が入力されるとともに、前記信号に基づいて音声を再生することを特徴とする付記１乃至６のいずれか一つに記載のイヤホン。
【００５８】
（付記８）音声を再生する第３スピーカユニットをさらに備え、
前記ハウジングには、前記第３スピーカユニットを収納する第３空間と、前記第３空間から外部へと通じる第３開口と、がさらに形成されていることを特徴とする付記１乃至７のいずれか一つに記載のイヤホン。
【００５９】
（付記９）音声を再生する第４スピーカユニットをさらに備え、
前記ハウジングには、前記第４スピーカユニットを収納する第４空間と、前記第４空間から外部へと通じる第４開口と、がさらに形成されていることを特徴とする付記８に記載のイヤホン。
【００６０】
（付記１０）付記１乃至９のいずれか一つに記載のイヤホンを備えたことを特徴とするヘッドホン。
【産業上の利用可能性】
【００６１】
本発明のイヤホン及びヘッドホンは、オーディオ機器、ビジュアル装置、音声ナビ等の機器に使用できる。
【符号の説明】
【００６２】
１０  ヘッドホン
２０Ｌ、２０Ｒ、１２０Ｌ、２２０Ｌ  イヤホン
３０  ハウジング
３１  ハウジング本体
３１ａ  孔
３２  蓋体
３３  隔壁部材
３４  音導管
３４ａ  孔
３４ｂ  音声通路（第１音声通路）
３４ｃ  音声通路（第２音声通路）
３５  空間（第１空間）
３６  空間（第２空間）
３５ａ  開口（第１開口）
３６ａ  開口（第２開口）
４０、４１、８０、８１、８２、８３  スピーカユニット
４０ａ、４１ａ  放音面
５０  イヤーピース
５１  孔
５２  音声通路（第３音声通路）
５３  音声通路（第４音声通路）
５５  ブッシュ
６０  ケーブル
６１、６２  ワイヤ
９０、９１、９２、９３  空間
１００  携帯機器
１０１  制御ユニット
【図１】
2013026746.tif 000003
【図２】
2013026746.tif 000004
【図３】
2013026746.tif 000005
【図４】
2013026746.tif 000006
【図５】
2013026746.tif 000007
【図６】
2013026746.tif 000008
【図７】
2013026746.tif 000009
【図８】
2013026746.tif 000010
【図９】
2013026746.tif 000011
【図１０】
2013026746.tif 000012